(57)【要約】      （修正有）【課題】ハブ本体の座部に載置されるハードディスクに対し、弾性体リングを押圧する押え板とこの押え板を押下するハブ本体に係脱自在の押え板止板によって吸着機能を働かせてハードディスクに強い圧力をかけることなく固定できるようにした。【解決手段】ハードディスクＨＤの固定装置であって、ハブ本体にはハードディスクの座部を設け、ハードディスクの内周辺を押圧できる弾性体リング６を配設し、この弾性体リング６を押下する環状の押え板８を重合し、さらにハブ本体２の上部と係脱して、前記押え板を押下する押え板止板１１を設けると共に、前記弾性体リング６は、下面もしくは上下面の外周に沿って凹陥リング状の吸盤凹溝７を穿ち、前記押え板止板１１で押下される押え板と、ハードディスクＨＤの内周辺を吸着機能を持たせて固定するようにして成ることを特徴とするハードディスクの固定装置。【選択図】        図１
2006040430.tif 000002
【特許請求の範囲】
【請求項１】
ハードディスクドライブのスピンドルモータ等に用いられるハードディスクの固定装置であって、ハブ本体にはハードディスクの座部を設け、ハードディスクの内周辺を押圧できる弾性体リングを配設し、この弾性体リングを押下する環状の押え板を重合し、さらにハブ本体の上部と係脱して、前記押え板を押下する押え板止板を設けると共に、前記弾性体リングは、下面もしくは上下面の外周に沿って凹陥リング状の吸盤凹溝を穿ち、前記押え板止板で押下される押え板と、ハードディスクの内周辺を吸着機能を持たせて固定するようにして成ることを特徴とするハードディスクの固定装置。
【請求項２】
押え板止板は、ハブ本体の上部に螺合ないしはストップリングで係脱できるようにした請求項１記載のハードディスクの固定装置。
【請求項３】
押え板は、外周端に係止縁部を設け、弾性体リングの外周を抱止可能として成ることを特徴とする請求項１または２に記載のハードディスクの固定装置。
【請求項４】
請求項１ないし３いずれかに記載のハードディスクの固定装置に用いられる弾性体リングおよびまたは弾性体リングと押え板であることを特徴とするハードディスクの固定部材。
【発明の詳細な説明】
【技術分野】
【０００１】
本発明は、ハードディスクドライブ（ＨＤＤ）のＳＰＭなどに於いて、着脱自在であって、吸盤機能を有する固定部材により、確固に支持できる高容量で高密度のハードディスクの固定装置およびその固定部材に関する。
【背景技術】
【０００２】
従来、この種のハードディスクの固定装置としては、ハードディスクを支持するハブ本体に、リング状スペーサを用いて押え、これをビスでネジ止め固定する方法を用いたものが知られている（例えば、特許文献１参照。）。
【特許文献１】特開２００２−３１３００２号公報
【発明の開示】
【発明が解決しようとする課題】
【０００３】
上述した公知技術は、ハードディスクを支持するハブ本体に設けたリング状スペーサを用い、かつビスを用いて強く押圧しているのでディスクに歪を与え、又、ビスのネジ止めなどで捻回操作を反覆すると、オネジ，メネジのこすれによって微細な切り粉が発生し、この切り粉が使用中飛散して現在の高容量，高密度のハードディスクの表面を汚してデーターの破壊等の原因を生ずる。
【０００４】
本発明は叙上の点に着目して成されたもので、ハブ本体の座部に載置されるハードディスクに対し、このハードディスクの内周辺を押圧する弾性体リングの下面または上下両面の外周に沿って凹陥リングの吸盤凹溝を設け、前記弾性体リングを押圧する押え板とこの押え板を押下するハブ本体に係脱自在の押え板止板によって吸着機能を働かせてハードディスクに強い圧力をかけることなく固定できるようにしたハードディスクの固定装置およびその固定部材を提供することを目的とする。
【課題を解決するための手段】
【０００５】
本発明は、上記課題を解決するために以下の構成とした。
【０００６】
（１）ハードディスクドライブのスピンドルモータ等に用いられるハードディスクの固定装置であって、ハブ本体にはハードディスクの座部を設け、ハードディスクの内周辺を押圧できる弾性体リングを配設し、この弾性体リングを押下する環状の押え板を重合し、さらにハブ本体の上部と係脱して、前記押え板を押下する押え板止板を設けると共に、前記弾性体リングは、下面もしくは上下面の外周に沿って凹陥リング状の吸盤凹溝を穿ち、前記押え板止板で押下される押え板と、ハードディスクの内周辺を吸着機能を持たせて固定するようにして成ることを特徴とするハードディスクの固定装置。
【０００７】
（２）押え板止板は、ハブ本体の上部に螺合ないしはストップリングで係脱できるようにした前記（１）記載のハードディスクの固定装置。
【０００８】
（３）押え板は、外周端に係止縁部を設け、弾性体リングの外周を抱止可能として成ることを特徴とする前記（１）または（２）に記載のハードディスクの固定装置。
【０００９】
（４）前記（１）ないし（３）いずれかに記載のハードディスクの固定装置に用いられる弾性体リングおよびまたは弾性体リンクと押え板であることを特徴とするハードディスクの固定部材。
【発明の効果】
【００１０】
本発明によれば、弾性体リングを押下する押え板に対し、ハブ本体に螺合ないしストップリングの押え板止板を備えるが、ビスなどのネジ止め構成を備えていないので、微細な切り粉などの発生がなく、したがって駆動中のハードディスクを傷めないと共に、弾性体リングにはその下面もしくは上下両面の外周に沿って、凹陥リング状の吸盤凹溝を穿ってあるので、ハブ本体の座部と係合したハードディスクの内周部と押え板とを吸盤凹溝の変形による吸着機能により押え板止板の強固な締め付けを行う必要がなく、強力にしかも確固に固定させることができる。
【００１１】
したがって、高容量，高密度化されてデータの書き込み単位が細密化されて来たハードディスクをハードディスクに歪みを与えることなく、十分な固定力を保持し、かつ耐衝撃性をもって、ガタ付を少なくしてデータの読み取りを可能にできる。
【発明を実施するための最良の形態】
【００１２】
以下に、本発明の実施例を説明する。
【実施例１】
【００１３】
図１は、本発明のハードディスクの固定装置およびその固定部材を説明するための一般的なスピンドルモータを用いた実施例を示した断面説明図である。
【００１４】
図２は要部を拡大分解して示す断面説明図である。
【００１５】
図３は要部を拡大組み立てて示す部分断面説明図である。
【００１６】
図４は更に図３の要部を拡大して示す部分断面説明図である。
【００１７】
図５は弾性体リングを示し、（ａ）は平面図、（ｂ）は断面図である。
【００１８】
図面について説明すれば、１は各種スピンドルモータ（ＳＰＭ）のスピンドル（中心軸）、２はこのスピンドル１に挿通したハブ本体を示し、ハードディスクＨＤを着脱自在に係止できる。
【００１９】
３はハードディスクＨＤの内周部を載置できる座部であり、高さｈの段差３ａを有し、内側に平面部４を形成して螺溝を刻設した立上り部５を形成してある。６は弾性体リングを示し、座部３に載置されるハードディスクＨＤを押圧できる外周の上下両面には凹陥リング状の吸盤凹溝７，７を穿ってある。なお、図１では吸盤凹溝は下面のみ設けてあるが、それ以外の図では上下両面に穿ってある。８はこの弾性体リング６を押下する環状の押え板を示し、その外周端には係止縁部９が下向きに形成され、弾性体リング６の外周を抱止可能とすると共に、中央箇所には略４５°の傾斜角度を有する傾斜部１０を備えており、この傾斜部１０が弾性体リング６の内周上面を押下し乍ら変形させている。１１は押え板８を押下固定するための環状の押え板止板を示し、ハブ本体２の立上り部５と螺合ないしストップリングなどで係脱できるものでも良いが図示ではネジ構造として示してある。
【００２０】
処で、前記弾性体リング６は、アウトガス対策用のテフロン(登録商標)系ゴムを用いて、アウトガスの発生を防ぐと共に、前記座部３の段差３ａの高さｈはハードディスクＨＤの厚さＨより低くして、ハードディスクＨＤの内周縁に形成されるきわめて小さな略４５°に傾斜したカット面Ｃが前記弾性体リング６と当接できるようにハードディスクＨＤは座部３上に載置される。
【００２１】
ここで、図２，３および４を参照してこの実施例におけるハードディスクＨＤの固定される作用を詳細に説明する。
【００２２】
図２に示すように、ハードディスクＨＤの内周面の孔をハブ本体２に挿通し、座部３に載置させ、ついで上下面に吸盤凹溝７，７を穿った弾性体リング６を重ねて挿通すると共に、さらに環状の押え板８を重ねて挿通し、最後に押え板止板１１をハブ本体２の頂部より螺合ないしはクリップ止めなどで係止させ、図３の状態としてハードディスクＨＤを確実に固定支持することができる。
【００２３】
ところで、弾性体リング６は、押え板８の押圧によりハードディスクＨＤに対して下側の吸盤凹溝７が押圧されて圧縮変形され、内部の空気の一部が外部に放出され、その結果強力な吸着作用を呈すると共に、押え板８に対しても上側の吸盤凹溝７が圧縮変形して同様の吸着作用が奏される。
【００２４】
したがって、押え板止板１１による押下操作は、最初に強く押圧すれば、その作用力で弾性体リング６を介してハードディスクＨＤと押え板８とへの吸着が、吸盤効果で働くことになる。
【００２５】
また、押え板１１に設けた傾斜部１０の内側が弾性体リング６の内周面部６ａを矢符方向の作用力Ｐによって変形されると共に、変形された内周面部６ａがハードディスクＨＤのカット面Ｃに対して矢符方向の作用力Ｔが働き、その水平分力はハードディスクＨＤのラジアル方向に、また垂直分力はスピンドル１のスラスト方向に作用することとなり固定効果をより強固にすることができる。
【００２６】
なお、吸盤凹溝７が下面のみの場合は、主としてハードディスクＨＤに対して吸着効果が働くが、上下両面に設けると押え板８との吸着効果も働くという二重効果が得られる。
【００２７】
以上、本発明の一実施例を説明したが、押え板止板１１はハブ本体２の上部に螺合手段で係脱自在に設けて記載してあるが、この種の螺合手段ではなく、押し込んで回転させて係止させる手段とか、それ以外の好みのストップリングなどのクランプ手段に変更することもできる。
【００２８】
なお、本発明について実施例を説明したが、ハードディスクを固定するＨＤＤは、図示したスピンドルが固定した構成に限るものではなく、スピンドルが回転する形式のものは勿論のこと、ロータがステータに対してインナーのみならば、アウターの構成を含むことは勿論である。
【００２９】
以上、本発明について二実施例を記述したが、スピンドルモータやステッピングモータを含めて軸受モータなどハードディスク駆動手段に適用できるものであって、駆動手段には何等限定されるものではない。
【図面の簡単な説明】
【００３０】
【図１】本発明のハードディスクの固定装置およびその固定部材を説明するための一般的なスピンドルモータを用いた実施例を示した断面説明図である。
【図２】要部を拡大分解して示す断面説明図である。
【図３】要部を拡大組み立てて示す部分断面説明図である。
【図４】更に図３の要部を拡大して示す部分断面説明図である。
【図５】弾性体リングを示し、（ａ）は平面図、（ｂ）は断面図である。
【符号の説明】
【００３１】
１  スピンドル（中心軸）
２  ハブ本体
３  段差３ａを有する座部
４  平面部
５  立上り部
６  弾性体リング
７，７  凹陥状の吸盤凹溝
８  環状の押え板（固定部材に相当）
９  係止縁部
１０  略４５°の傾斜部
１１  ハードディスク
Ｃ  略４５°のカット面
【図１】
2006040430.tif 000003
【図２】
2006040430.tif 000004
【図３】
2006040430.tif 000005
【図４】
2006040430.tif 000006
【図５】
2006040430.tif 000007